(57)【要約】【課題】良好な土踏まず部分への圧迫を与えながら、足先への血行を良好にすることができる靴下を提供することを目的とする。【解決手段】本発明の靴下は、この目的を達成するために、土踏まず対応部分を含む箇所の全周にわたって締付け部を有する靴下において、前記締付け部の内土踏まず対応部分のみを他の部分より強い収縮力を与えてあることを特徴とする構成を採用した。【選択図】図２
2007197881.tif 000002
【特許請求の範囲】
【請求項１】
土踏まず対応部分を含む箇所の全周にわたって締付け部を有する靴下において、前記締付け部の内土踏まず対応部分のみを他の部分より強い収縮力を与えてあることを特徴とする靴下。
【請求項２】
前記請求項１に記載の靴下において、前記土踏まず対応部分が他の箇所の複数倍の収縮力を有さしめてあることを特徴とする靴下。
【請求項３】
前記請求項１又は２において、母趾球などの足裏突出部分に対応する箇所に当該突出部分を包み込む膨出部分を設けたことを特徴とする靴下。
【請求項４】
請求項３に記載の靴下において、前記膨出部分の外表面を高摩擦性にしてあることを特徴とする靴下。
【発明の詳細な説明】
【従来技術】
【０００１】  本発明は、人体の足部に装着する靴下に関し、より詳しくは、土踏まず対応部分を含む箇所の全周にわたって締付け部を有する靴下に関する。
【背景技術】
【０００２】  従来、特開２００２−６９７０１公報に示されるように、土踏まず対応部分を含む箇所の全周にわたって締付け部を有する靴下が知られている。
当該従来技術では、土踏まず対応部分を含む全周を他の箇所に比べ強く締付けるものである。土踏まず対応部分を含む全周を充分に圧迫するほどに強い締付け力をこのようにして与えた場合は、足先への血行を阻害する恐れがある。
一方、古くより素足での歩行は健康維持に効果があるとの言い伝えがあるが、その理由は、歩行による足裏への圧迫と開放の繰り返しにより足裏での血行を良好にするからである。
しかし、素足での歩行は障害を受ける可能性があり通常は進められるものではない。特にスポーツなどの激しい運動においては、靴下の使用は必須である。
【発明の開示】
【発明が解決しようとする課題】
【０００３】
【０００４】  上記従来発明の問題を解決し、良好な土踏まず部分への圧迫を与えながら、足先への血行を良好にすることができる靴下を提供することを目的とする。
【課題を解決するための手段】
【０００５】  本発明の靴下は、この目的を達成するために、土踏まず対応部分を含む箇所の全周にわたって締付け部を有する靴下において、前記締付け部（３）の内土踏まず対応部分（８）のみを他の部分より強い収縮力を与えてあることを特徴とする構成を採用した。
【発明の効果】
【０００６】  このように構成することで、土踏まず対応部分は、他の箇所に比べ装着時には内側に向かうこととなり、土踏まずを積極的に圧迫することとなる。
一方、他の締付け部を緩やかな締付け状態にしてあるので足先への血行を阻害する程の締付けをせずとも、土踏まずを充分圧迫することができた。また、人の直立歩行に重要な役割を果たす土踏まずのアーチが筋力や腱の弾力の低下等でへたり、少なくなっている高齢者においても、最小限の圧迫力で充分にずれたり滑ったりすることのない靴下着用の機能を果たすのみならず、健常者における激しいスポーツなどによるものと同じ効果を、高齢者にとっては決して容易とはいえない通常歩行においても、足の疲れを軽減し、残存機能の積極的活用とその維持に貢献することができるものである。【０００７】  さらに、母趾球などの足裏突出部分に対応する箇所に当該突出部分を包み込む膨出部分を設けたことを特徴とする構成を採用することで、充分なフィット感を有するサイズのものであっても、母趾球などの足裏突出部分は膨出部分に嵌り込み開放されることとなる。
これら足裏突出部分は歩行時に最も大きな圧迫力を受ける箇所であり、この箇所が膨出部分に包まれることで、圧力がほとんどかからない状態にまで開放することができる。この結果、素足で歩行するときのような大きな落差で圧迫と開放を繰り返すことができ、足裏の血行を良好にすることができた。つまり、足にフィットしながら良好な血行を保つことができる靴下を提供することができた。
なお、少々サイズが大きいものでも、母趾球などの足裏突出部分が膨出部分に嵌り込んで、靴下と足との相対移動を阻止する。そのうえ母趾球などの足裏突出部分により阻害されることなく土踏まず対応部分を締付けることができるので、結果的には良好なフィット感を有することとなる。また市販されている靴下のサイズは通常２〜３ｃｍ程の幅をもって１サイズを設定してあるので、足の大きさによっては、靴下が少々大きく感じられる場合がある。しかし、上記のように母趾球などの足裏突出部分により阻害されることなく土踏まず対応部分を締付けることができるので、結果的には良好なフィット感を有することとなる。【０００８】  また、前記膨出部分の外表面を高摩擦性にしてあることにより、靴と靴下又は靴下と廊下とのすべりを防止することができ、本靴下が高いフィット性を有することと相まって歩行を極めて安全にすることができた。
仮に、靴下と足部との間にすべりがある場合は、靴下底外表面全体にすべり止め作用を持たせると、かえって足部のみがすべり捻挫などの障害を受ける恐れがある。
【発明を実施するための最良の形態】
【０００９】  以下に、本発明の最良の実施形態を例示するが、本発明はこれによって限定されるものではない。
【実施例】
【００１０】  図１、図２、図３における靴下（１）は本発明の靴下である。図４における靴下（１’）は従来の靴下である。図５における靴下（１）（１’）はそれぞれ本発明の靴下及び、従来の靴下を着用したところを底面から示したものである。
靴下（１）は、通常の編み上げ技術によるニット編みにより、土踏まず対応箇所を含む全周締付け部（３）口部（４）が設けてある。また母趾球（Ａ）と小趾球（Ｂ）、足裏部分のうちの踵部分（２）の足底部中央（Ｃ）のそれぞれの対応箇所には、膨出部分（５）（６）（７）が設けてある。この膨出部分は、それぞれの対応箇所に切り目を入れ、この切り口を適度に開いた状態で塞ぐように編み上げて構成してある。【００１１】  靴下（１）の土踏まず対応箇所を含む全周締付け部（３）の内土踏まず対応部分（８）は、１つの編み目の中に複数本のゴム糸（Ｇ）を編み込みまた他の箇所では１本のゴム糸（Ｇ）が通るようにして構成し、土踏まず対応部分（８）が他の箇所の複数倍の圧縮力を有するようにしてある。なお、図２は、ゴム糸（Ｇ）の配置を模式的に示したものである。【００１２】  このようにして構成した靴下（１）を足部（Ｆ）に装着すると図３に示すように、足裏の凹凸に沿ってフィットするのみならず、母趾球（Ａ）、小趾球（Ｂ）などの突出部分を靴下で圧迫することがなくなった。
また、土踏まず（Ｄ）に対しては圧迫力を与え続けるとともに、締付け部（３）全体を従来どおりの圧縮力にしてあるので足先への血行は確保されることとなる。
ちなみに、このような膨出部分を設けていない従来の靴下（１’）を足部に装着した状態を図４にて示した。この従来の靴下（１’）では、母趾球（Ａ）、小趾球（Ｂ）を靴下のフィット力により母趾球及び小趾球対応部分（５’）を締付け、たとえ足部（Ｆ）を持ち上げても、これらを開放することはできない。この傾向はフィット感を与えるためにサイズを小さくすればより大きくなるとともに、土踏まず（Ｄ）では空間（Ｓ）が生じ、かえって滑りやすくなる恐れもある。【００１３】  前記膨出部分（５）（６）（７）を作製するに当たり高摩擦性の繊維としてコットン７０％、ナイロン３０％のブークレ糸を用いることにより、当該箇所にすべり止め機能を有りさしめることができた。【００１４】  なお、本発明の効果は、母趾球（Ａ）に対応する箇所にのみ膨出部分（５）を設けることによっても、血行改善の効果を発揮することができた。
【産業上の利用分野】
【００１５】  以上要するに、本発明は、土踏まず（Ｄ）に圧迫を与えながら他の箇所への圧迫を強くせず、足先への血行を確保できたものである。また、素足に近い血行を有さしめながら足とのフィットが良好に行える靴下を提供したもので、日常の使用のみならずスポーツなどに使用することで、足の疲れを軽減しながら激しい動きでもずれることのない良好な装着感を与えることができた。また逆に土踏まずなどの機能の低下した高齢者などにおいても最小限の圧迫力で充分に靴下着用の機能を果たすのみならず、高齢者にとっては決して容易とはいえない通常歩行においても足の疲れを軽減し残存機能の積極的活用とその維持に貢献することができるものである。
【図面の簡単な説明】
【図１】本発明の靴下の実施例を示す側面図
【図２】本発明の靴下の実施例を示す底面図
【図３】本発明の靴下の使用状態を示す縦断側面図
【図４】従来の靴下を装着した状態を示す縦断側面図
【図５】足裏を示す底面図
【符号の説明】
【００１６】（１）靴下
（２）踵部
（３）土踏まず対応箇所を含む全周締付け部分
（４）口部締付け部分
（５）母趾球部膨出部分
（６）小趾球部膨出部分
（７）踵中央部膨出部分
（８）土踏まず対応部分
（１’）従来の靴下
（５’）従来の靴下の母趾球及び小趾球部対応部分
（Ｆ）足部
（Ａ）母趾球
（Ｂ）小趾球
（Ｃ）踵中央部
（Ｄ）土踏まず
（Ｇ）ゴム糸
【図１】
2007197881.tif 000003
【図２】
2007197881.tif 000004
【図３】
2007197881.tif 000005
【図４】
2007197881.tif 000006
【図５】
2007197881.tif 000007